(57)【特許請求の範囲】
【請求項１】
絶縁基板（１０）と、
前記絶縁基板（１０）の一方の面（１１）から他方の面（１２）に貫通する貫通孔（１３）と、
前記貫通孔（１３）に挿入された放熱部材（２０）と、
前記絶縁基板（１０）の一方の面（１１）にて前記貫通孔（１３）に重なるように前記絶縁基板（１０）に搭載され固定された電子部品（３０）と、を備え、
前記絶縁基板（１０）の一方の面（１１）側にて前記放熱部材（２０）と前記電子部品（３０）とが接合されることにより、前記電子部品（３０）にて発生する熱が前記放熱部材（２０）へ放熱されるようになっている電子装置において、
前記放熱部材（２０）の一部は、前記絶縁基板（１０）の他方の面（１２）にて前記貫通孔（１３）より突出し、前記貫通孔（１３）の外側にて当該他方の面（１２）に重なる形状とされた突出部（２３）を構成しており、
この突出部（２３）は前記絶縁基板（１０）の他方の面（１２）側に、接合材（５０）を介して接合されて固定されており、
前記貫通孔（１３）の内壁と前記放熱部材（２０）の外面との間は空隙とされており、
前記放熱部材（２０）の前記突出部（２３）と前記絶縁基板（１０）とを接合する前記接合材は、はんだ（５０）であり、
前記放熱部材（２０）のうちの前記絶縁基板（１０）との前記はんだ（５０）による接合部（２４）は、めっき処理が施されたものとなっており、当該接合部（２４）の外周囲には当該めっき処理を施さないことにより、
前記放熱部材（２０）において前記接合部（２４）は当該接合部（２４）の外周囲に比べて、前記はんだ（５０）の濡れ性が良いものとされていることを特徴とする電子装置。
【請求項２】
絶縁基板（１０）と、
前記絶縁基板（１０）の一方の面（１１）から他方の面（１２）に貫通する貫通孔（１３）と、
前記貫通孔（１３）に挿入された放熱部材（２０）と、
前記絶縁基板（１０）の一方の面（１１）にて前記貫通孔（１３）に重なるように前記絶縁基板（１０）に搭載され固定された電子部品（３０）と、を備え、
前記絶縁基板（１０）の一方の面（１１）側にて前記放熱部材（２０）と前記電子部品（３０）とが接合されることにより、前記電子部品（３０）にて発生する熱が前記放熱部材（２０）へ放熱されるようになっている電子装置において、
前記放熱部材（２０）の一部は、前記絶縁基板（１０）の他方の面（１２）にて前記貫通孔（１３）より突出し、前記貫通孔（１３）の外側にて当該他方の面（１２）に重なる形状とされた突出部（２３）を構成しており、
この突出部（２３）は前記絶縁基板（１０）の他方の面（１２）側に、接合材（５０）を介して接合されて固定されており、
前記貫通孔（１３）の内壁と前記放熱部材（２０）の外面との間は空隙とされており、
前記放熱部材（２０）の前記突出部（２３）と前記絶縁基板（１０）とを接合する前記接合材は、はんだ（５０）であり、
前記放熱部材（２０）の表面において、前記絶縁基板（１０）との前記はんだ（５０）による接合部（２４）の外周囲には、当該接合部（２４）からの前記はんだ（５０）の濡れ拡がりを抑制するコーティング（７１）が施されていることを特徴とする電子装置。
【請求項３】
絶縁基板（１０）と、
前記絶縁基板（１０）の一方の面（１１）から他方の面（１２）に貫通する貫通孔（１３）と、
前記貫通孔（１３）に挿入された放熱部材（２０）と、
前記絶縁基板（１０）の一方の面（１１）にて前記貫通孔（１３）に重なるように前記絶縁基板（１０）に搭載され固定された電子部品（３０）と、を備え、
前記絶縁基板（１０）の一方の面（１１）側にて前記放熱部材（２０）と前記電子部品（３０）とが接合されることにより、前記電子部品（３０）にて発生する熱が前記放熱部材（２０）へ放熱されるようになっている電子装置において、
前記放熱部材（２０）の一部は、前記絶縁基板（１０）の他方の面（１２）にて前記貫通孔（１３）より突出し、前記貫通孔（１３）の外側にて当該他方の面（１２）に重なる形状とされた突出部（２３）を構成しており、
この突出部（２３）は前記絶縁基板（１０）の他方の面（１２）側に、接合材（５０）を介して接合されて固定されており、
前記貫通孔（１３）の内壁と前記放熱部材（２０）の外面との間は空隙とされており、
前記放熱部材（２０）の前記突出部（２３）と前記絶縁基板（１０）とを接合する前記接合材は、はんだ（５０）であり、
前記絶縁基板（１０）において前記貫通孔（１３）の内面は、はんだ濡れ性を確保するためのめっき処理が施されたものとされており、
前記絶縁基板（１０）の他方の面（１２）のうちの前記放熱部材（２０）との前記はんだ（５０）による接合部（１５）の表面と、前記貫通孔（１３）の内面とは分離された状態とされることにより、当該接合部（１５）から前記貫通孔（１３）の内面への前記はんだ（５０）の濡れ拡がりを抑制するようにしたことを特徴とする電子装置。
【請求項４】
絶縁基板（１０）と、
前記絶縁基板（１０）の一方の面（１１）から他方の面（１２）に貫通する貫通孔（１３）と、
前記貫通孔（１３）に挿入された放熱部材（２０）と、
前記絶縁基板（１０）の一方の面（１１）にて前記貫通孔（１３）に重なるように前記絶縁基板（１０）に搭載され固定された電子部品（３０）と、を備え、
前記絶縁基板（１０）の一方の面（１１）側にて前記放熱部材（２０）と前記電子部品（３０）とが接合されることにより、前記電子部品（３０）にて発生する熱が前記放熱部材（２０）へ放熱されるようになっている電子装置において、
前記放熱部材（２０）の一部は、前記絶縁基板（１０）の他方の面（１２）にて前記貫通孔（１３）より突出し、前記貫通孔（１３）の外側にて当該他方の面（１２）に重なる形状とされた突出部（２３）を構成しており、
この突出部（２３）は前記絶縁基板（１０）の他方の面（１２）側に、接合材（５０）を介して接合されて固定されており、
前記貫通孔（１３）の内壁と前記放熱部材（２０）の外面との間は空隙とされており、
前記放熱部材（２０）の前記突出部（２３）と前記絶縁基板（１０）とを接合する前記接合材は、はんだ（５０）であり、
前記放熱部材（２０）の前記突出部（２３）の一部は、当該放熱部材（２０）側から前記絶縁基板（１０）の他方の面（１２）に延びる細長の薄肉板状をなす薄肉板部（２３ａ）として構成されており、
この薄肉板部（２３ａ）にて、前記はんだ（５０）により前記絶縁基板（１０）の他方の面（１２）に接合されており、
前記はんだ（５０）に加わる応力が、前記薄肉板部（２３ａ）により緩和されるようになっていることを特徴とする電子装置。
【請求項５】
前記絶縁基板（１０）は、熱伝導性を有する金属で構成された筐体（１００）に組み付けられ、
前記放熱部材（２０）の前記突出部（２３）と前記筐体（１００）とが、熱伝導性を有する熱伝導部材（６０）を介して接触しており、前記電子部品（３０）の熱を、前記放熱部材（２０）を介して前記筐体（１００）へ放熱させるようにしたことを特徴とする請求項１ないし４のいずれか１つに記載の電子装置。
【請求項６】
絶縁基板（１０）と、
前記絶縁基板（１０）の一方の面（１１）から他方の面（１２）に貫通する貫通孔（１３）と、
前記貫通孔（１３）に挿入された放熱部材（２０）と、
前記絶縁基板（１０）の一方の面（１１）にて前記貫通孔（１３）に重なるように前記絶縁基板（１０）に搭載され固定された電子部品（３０）と、を備え、
前記絶縁基板（１０）の一方の面（１１）側にて前記放熱部材（２０）と前記電子部品（３０）とが接合されることにより、前記電子部品（３０）にて発生する熱が前記放熱部材（２０）へ放熱されるようになっている電子装置において、
前記放熱部材（２０）の一部は、前記絶縁基板（１０）の他方の面（１２）にて前記貫通孔（１３）より突出し、前記貫通孔（１３）の外側にて当該他方の面（１２）に重なる形状とされた突出部（２３）を構成しており、
この突出部（２３）は前記絶縁基板（１０）の他方の面（１２）側に、はんだ（５０）によりはんだ付け接合されて固定されており、
前記貫通孔（１３）の内壁と前記放熱部材（２０）の外面との間は空隙とされており、
前記絶縁基板（１０）は、熱伝導性を有する金属で構成された筐体（１００）に組み付けられ、
前記放熱部材（２０）の前記突出部（２３）と前記筐体（１００）とが、熱伝導性を有する熱伝導部材（６０）を介して接触しており、前記電子部品（３０）の熱を、前記放熱部材（２０）を介して前記筐体（１００）へ放熱させるようにし、
前記電子部品（３０）には前記放熱部材（２０）の一端（２１）に対向するヒートシンク（３１）が設けられており、
前記絶縁基板（１０）の一方の面（１１）において前記貫通孔（１３）の周囲には端子用ランド（１４）が設けられており、
前記電子部品（３０）には前記端子用ランド（１４）上に位置する端子（３２）が設けられており、
前記ヒートシンク（３１）と前記放熱部材（２０）の一端（２１）との間、および前記端子用ランド（１４）と前記端子（３２）との間が、はんだ（４０）により一括してはんだ付けされることを特徴とする電子装置。
【請求項７】
前記放熱部材（２０）の全表面に、前記放熱部材（２０）の本体を構成する材料よりも前記はんだ（５０）の濡れ性の悪いめっき処理が施されていることを特徴とする請求項３、４、６のいずれか１つに記載の電子装置。
【請求項８】
前記放熱部材（２０）の前記突出部（２３）と前記絶縁基板（１０）の他方の面（１２）との前記はんだ（５０）による接合は、前記放熱部材（２０）の全周ではなく局所的に行われていることを特徴とする請求項１、２、３、６のいずれか１つに記載の電子装置。
【発明の詳細な説明】
【技術分野】
【０００１】
本発明は、絶縁基板に設けられた貫通孔に挿入された放熱部材により、当該絶縁基板に搭載された電子部品を放熱するようにした電子装置に関する。
【背景技術】
【０００２】
従来より、この種の電子部品としては、絶縁基板と、絶縁基板の一方の面から他方の面に貫通する貫通孔と、貫通孔に挿入された放熱部材と、絶縁基板の一方の面にて貫通孔に重なるように絶縁基板に搭載され固定された電子部品と、を備え、絶縁基板の一方の面側にて放熱部材と電子部品とがはんだ等で接合されることにより、電子部品にて発生する熱が放熱部材へ放熱されるようになっているものが提案されている（（たとえば、特許文献１参照）。
【０００３】
ここで、この従来の電子装置においては、貫通孔内にて、貫通孔の内壁と放熱部材の外面との間をはんだで充填することにより、放熱部材を貫通孔に固定するようにしている。そして、通常、絶縁基板の他面側には、筐体を設け、当該他面側に突出する放熱部材の部分を筐体に接触させることで、放熱部材から筐体へ放熱するようにしている。
【先行技術文献】
【特許文献】
【０００４】
【特許文献１】特開２００７−３５８４３号公報
【発明の概要】
【発明が解決しようとする課題】
【０００５】
しかしながら、上記従来の電子装置においては、一般的なはんだ実装により装置を製造するにあたって、貫通孔に充填されるはんだ量の正確な制御、および、当該はんだにおけるボイドやフィレットなどの出来栄え管理が困難である。それにより、貫通孔に挿入される放熱部材の実装位置の制御、具体的には絶縁基板の一方の面に対する放熱部材の高さ位置の制御が難しくなる。
【０００６】
このような放熱部材の実装位置のばらつきが生じると、それによって、電子部品の実装工程（たとえばはんだ印刷、部品マウント等）の障害となる場合がある。また、電子装置を筐体へ組付ける工程において、たとえば放熱部材が筐体に干渉する等、不良や市場での不具合が生じ、信頼性を損なう恐れがある。
【０００７】
つまり、このような電子装置において、信頼性と作りやすさを向上させるためには、製造工程における放熱部材の実装位置を精度良くコントロールすることが必要となってくる。
【０００８】
本発明は、上記問題に鑑みてなされたものであり、絶縁基板に設けられた貫通孔に挿入された放熱部材により、当該絶縁基板に搭載された電子部品を放熱するようにした電子装置において、製造工程における放熱部材の実装位置を精度良くコントロールするのに適した構成を実現することを目的とする。
【課題を解決するための手段】
【０００９】
上記目的を達成するため、請求項１に記載の発明では、絶縁基板（１０）と、絶縁基板（１０）の一方の面（１１）から他方の面（１２）に貫通する貫通孔（１３）と、貫通孔（１３）に挿入された放熱部材（２０）と、絶縁基板（１０）の一方の面（１１）にて貫通孔（１３）に重なるように絶縁基板（１０）に搭載され固定された電子部品（３０）と、を備え、絶縁基板（１０）の一方の面（１１）側にて放熱部材（２０）と電子部品（３０）とが接合されることにより、電子部品（３０）にて発生する熱が放熱部材（２０）へ放熱されるようになっている電子装置において、
放熱部材（２０）の一部は、絶縁基板（１０）の他方の面（１２）にて貫通孔（１３）より突出し、貫通孔（１３）の外側にて当該他方の面（１２）に重なる形状とされた突出部（２３）を構成しており、この突出部（２３）は絶縁基板（１０）の他方の面（１２）側に、接合材（５０）を介して接合されて固定されており、貫通孔（１３）の内壁と放熱部材（２０）の外面との間は空隙とされており、
放熱部材（２０）の突出部（２３）と絶縁基板（１０）とを接合する接合材は、はんだ（５０）であり、
放熱部材（２０）のうちの絶縁基板（１０）とのはんだ（５０）による接合部（２４）は、めっき処理が施されたものとなっており、当該接合部（２４）の外周囲には当該めっき処理を施さないことにより、
放熱部材（２０）において接合部（２４）は当該接合部（２４）の外周囲に比べて、はんだ（５０）の濡れ性が良いものとされていることを特徴とする。
【００１０】
それによれば、従来において放熱部材の実装位置の誤差要因であったはんだ等の接合材を貫通孔（１３）に充填しないようにし、貫通孔（１３）に挿入された放熱部材（２０）の実装位置を調整した上で、貫通孔（１３）の外部にて絶縁基板（１０）と放熱部材（２０）とを接合し固定できるので、製造工程における放熱部材（２０）の実装位置を精度良くコントロールするのに適した構成を実現することができる。
また、請求項１に記載の発明によれば、放熱部材（２０）の突出部（２３）を絶縁基板（１０）の他方の面（１２）側に、はんだ（５０）によりはんだ付けして固定するから、放熱部材（２０）を、はんだペースト印刷→マウント→リフローという一般的な工程で実装することができる。また、はんだペースト印刷により、はんだ（５０）を供給してやれば、はんだ（５０）厚さの正確なコントロールができ、上記した放熱部材（２０）の実装位置のコントロールを行いやすくなる。
さらに、請求項１に記載の発明では、放熱部材（２０）のうちの絶縁基板（１０）とのはんだ（５０）による接合部（２４）は、めっき処理が施されたものとなっており、当該接合部（２４）の外周囲には当該めっき処理を施さないことにより、放熱部材（２０）において接合部（２４）は当該接合部（２４）の外周囲に比べて、はんだ（５０）の濡れ性が良いものにしているので、貫通孔（１３）内へのはんだ（５０）の濡れ拡がり等、放熱部材（２０）の接合部（２４）の外側への意図しないはんだ（５０）の濡れ拡がりを抑えることができる。そのため、はんだ量（はんだ高さ）の制御が容易になり、結果的に、放熱部材（２０）の実装位置をより一層、精度良く制御できる。
次に、請求項２に記載の発明では、絶縁基板（１０）と、絶縁基板（１０）の一方の面（１１）から他方の面（１２）に貫通する貫通孔（１３）と、貫通孔（１３）に挿入された放熱部材（２０）と、絶縁基板（１０）の一方の面（１１）にて貫通孔（１３）に重なるように絶縁基板（１０）に搭載され固定された電子部品（３０）と、を備え、絶縁基板（１０）の一方の面（１１）側にて放熱部材（２０）と電子部品（３０）とが接合されることにより、電子部品（３０）にて発生する熱が放熱部材（２０）へ放熱されるようになっている電子装置において、
放熱部材（２０）の一部は、絶縁基板（１０）の他方の面（１２）にて貫通孔（１３）より突出し、貫通孔（１３）の外側にて当該他方の面（１２）に重なる形状とされた突出部（２３）を構成しており、この突出部（２３）は絶縁基板（１０）の他方の面（１２）側に、接合材（５０）を介して接合されて固定されており、貫通孔（１３）の内壁と放熱部材（２０）の外面との間は空隙とされており、
放熱部材（２０）の突出部（２３）と絶縁基板（１０）とを接合する接合材は、はんだ（５０）であり、
放熱部材（２０）の表面において、絶縁基板（１０）とのはんだ（５０）による接合部（２４）の外周囲には、当該接合部（２４）からのはんだ（５０）の濡れ拡がりを抑制するコーティング（７１）が施されていることを特徴とする。
それによれば、請求項１に記載の発明と同様に、はんだ等の接合材を貫通孔（１３）に充填しないようにし、貫通孔（１３）に挿入された放熱部材（２０）の実装位置を調整した上で、貫通孔（１３）の外部にて絶縁基板（１０）と放熱部材（２０）とを接合し固定できるので、製造工程における放熱部材（２０）の実装位置を精度良くコントロールするのに適した構成を実現することができる。
また、請求項２に記載の発明においても、放熱部材（２０）の突出部（２３）を絶縁基板（１０）の他方の面（１２）側に、はんだ（５０）によりはんだ付けして固定するから、放熱部材（２０）を、はんだペースト印刷→マウント→リフローという一般的な工程で実装することができる。また、はんだペースト印刷により、はんだ（５０）を供給してやれば、はんだ（５０）厚さの正確なコントロールができ、上記した放熱部材（２０）の実装位置のコントロールを行いやすくなる。
さらに、請求項２に記載の発明では、放熱部材（２０）の表面において、絶縁基板（１０）とのはんだ（５０）による接合部（２４）の外周囲には、当該接合部（２４）からのはんだ（５０）の濡れ拡がりを抑制するコーティング（７１）が施されているから、放熱部材（２０）の接合部（２４）の外側への意図しないはんだ（５０）の濡れ拡がりを抑えることができる。そのため、はんだ量（はんだ高さ）の制御が容易になり、結果的に、放熱部材（２０）の実装位置をより一層、精度良く制御できる。
次に、請求項３に記載の発明では、絶縁基板（１０）と、絶縁基板（１０）の一方の面（１１）から他方の面（１２）に貫通する貫通孔（１３）と、貫通孔（１３）に挿入された放熱部材（２０）と、絶縁基板（１０）の一方の面（１１）にて貫通孔（１３）に重なるように絶縁基板（１０）に搭載され固定された電子部品（３０）と、を備え、絶縁基板（１０）の一方の面（１１）側にて放熱部材（２０）と電子部品（３０）とが接合されることにより、電子部品（３０）にて発生する熱が放熱部材（２０）へ放熱されるようになっている電子装置において、
放熱部材（２０）の一部は、絶縁基板（１０）の他方の面（１２）にて貫通孔（１３）より突出し、貫通孔（１３）の外側にて当該他方の面（１２）に重なる形状とされた突出部（２３）を構成しており、この突出部（２３）は絶縁基板（１０）の他方の面（１２）側に、接合材（５０）を介して接合されて固定されており、貫通孔（１３）の内壁と放熱部材（２０）の外面との間は空隙とされており、
放熱部材（２０）の突出部（２３）と絶縁基板（１０）とを接合する接合材は、はんだ（５０）であり、
絶縁基板（１０）において貫通孔（１３）の内面は、はんだ濡れ性を確保するためのめっき処理が施されたものとされており、
絶縁基板（１０）の他方の面（１２）のうちの放熱部材（２０）とのはんだ（５０）による接合部（１５）の表面と、貫通孔（１３）の内面とは分離された状態とされることにより、当該接合部（１５）から貫通孔（１３）の内面へのはんだ（５０）の濡れ拡がりを抑制するようにしたことを特徴とする。
それによれば、請求項１、２に記載の発明と同様に、はんだ等の接合材を貫通孔（１３）に充填しないようにし、貫通孔（１３）に挿入された放熱部材（２０）の実装位置を調整した上で、貫通孔（１３）の外部にて絶縁基板（１０）と放熱部材（２０）とを接合し固定できるので、製造工程における放熱部材（２０）の実装位置を精度良くコントロールするのに適した構成を実現することができる。
また、請求項３に記載の発明においても、放熱部材（２０）の突出部（２３）を絶縁基板（１０）の他方の面（１２）側に、はんだ（５０）によりはんだ付けして固定するから、放熱部材（２０）を、はんだペースト印刷→マウント→リフローという一般的な工程で実装することができる。また、はんだペースト印刷により、はんだ（５０）を供給してやれば、はんだ（５０）厚さの正確なコントロールができ、上記した放熱部材（２０）の実装位置のコントロールを行いやすくなる。
さらに、請求項３に記載の発明では、絶縁基板（１０）において貫通孔（１３）の内面は、はんだ濡れ性を確保するためのめっき処理が施されたものとされており、絶縁基板（１０）の他方の面（１２）のうちの放熱部材（２０）とのはんだ（５０）による接合部（１５）の表面と、貫通孔（１３）の内面とは分離された状態とされることにより、当該接合部（１５）から貫通孔（１３）の内面へのはんだ（５０）の濡れ拡がりを抑制するようになっているから、絶縁基板（１０）において、はんだ（５０）による接合部（１５）の外側への意図しないはんだ（５０）の濡れ拡がりを抑えることができる。そのため、はんだ量（はんだ高さ）の制御が容易になり、結果的に、放熱部材（２０）の実装位置をより一層、精度良く制御できる。
次に、請求項４に記載の発明では、絶縁基板（１０）と、絶縁基板（１０）の一方の面（１１）から他方の面（１２）に貫通する貫通孔（１３）と、貫通孔（１３）に挿入された放熱部材（２０）と、絶縁基板（１０）の一方の面（１１）にて貫通孔（１３）に重なるように絶縁基板（１０）に搭載され固定された電子部品（３０）と、を備え、絶縁基板（１０）の一方の面（１１）側にて放熱部材（２０）と電子部品（３０）とが接合されることにより、電子部品（３０）にて発生する熱が放熱部材（２０）へ放熱されるようになっている電子装置において、
放熱部材（２０）の一部は、絶縁基板（１０）の他方の面（１２）にて貫通孔（１３）より突出し、貫通孔（１３）の外側にて当該他方の面（１２）に重なる形状とされた突出部（２３）を構成しており、この突出部（２３）は絶縁基板（１０）の他方の面（１２）側に、接合材（５０）を介して接合されて固定されており、貫通孔（１３）の内壁と放熱部材（２０）の外面との間は空隙とされており、
放熱部材（２０）の突出部（２３）と絶縁基板（１０）とを接合する接合材は、はんだ（５０）であり、
放熱部材（２０）の突出部（２３）の一部は、当該放熱部材（２０）側から絶縁基板（１０）の他方の面（１２）に延びる細長の薄肉板状をなす薄肉板部（２３ａ）として構成されており、
この薄肉板部（２３ａ）にて、はんだ（５０）により絶縁基板（１０）の他方の面（１２）に接合されており、
はんだ（５０）に加わる応力が、薄肉板部（２３ａ）により緩和されるようになっていることを特徴とする。
それによれば、請求項１、２、３に記載の発明と同様に、はんだ等の接合材を貫通孔（１３）に充填しないようにし、貫通孔（１３）に挿入された放熱部材（２０）の実装位置を調整した上で、貫通孔（１３）の外部にて絶縁基板（１０）と放熱部材（２０）とを接合し固定できるので、製造工程における放熱部材（２０）の実装位置を精度良くコントロールするのに適した構成を実現することができる。
また、請求項４に記載の発明においても、放熱部材（２０）の突出部（２３）を絶縁基板（１０）の他方の面（１２）側に、はんだ（５０）によりはんだ付けして固定するから、放熱部材（２０）を、はんだペースト印刷→マウント→リフローという一般的な工程で実装することができる。また、はんだペースト印刷により、はんだ（５０）を供給してやれば、はんだ（５０）厚さの正確なコントロールができ、上記した放熱部材（２０）の実装位置のコントロールを行いやすくなる。
さらに、請求項４に記載の発明では、放熱部材（２０）の突出部（２３）の一部は、当該放熱部材（２０）側から絶縁基板（１０）の他方の面（１２）に延びる細長の薄肉板状をなす薄肉板部（２３ａ）として構成されており、この薄肉板部（２３ａ）にて、はんだ（５０）により絶縁基板（１０）の他方の面（１２）に接合されており、はんだ（５０）に加わる応力が、薄肉板部（２３ａ）により緩和されるようになっている。
それによれば、絶縁基板（１０）の厚さ方向における絶縁基板（１０）と放熱部材（２０）との熱膨張係数差から生じる熱応力を、薄肉板部（２３ａ）にて緩和できるため、各接合部への当該熱応力を低減し、接合寿命を向上させることができる。
【００１１】
ここで、請求項５に記載の発明では、請求項１ないし４のいずれか１つに記載の電子装置において、絶縁基板（１０）は、熱伝導性を有する金属で構成された筐体（１００）に組み付けられ、放熱部材（２０）の突出部（２３）と筐体（１００）とが、熱伝導性を有する熱伝導部材（６０）を介して接触しており、電子部品（３０）の熱を、放熱部材（２０）を介して筐体（１００）へ放熱させるようにしたことを特徴とする。
【００１２】
それによれば、金属製の筐体（１００）をヒートシンクとして機能させ、電子部品（３０）→放熱部材（２０）→筐体（１００）と熱伝導性の高い放熱経路を確保することができる。そのため、たとえば樹脂基板で課題とされる絶縁基板（１０）の厚み方向への放熱性を大きく向上させることができる。
【００１３】
また、請求項６に記載の発明では、絶縁基板（１０）と、絶縁基板（１０）の一方の面（１１）から他方の面（１２）に貫通する貫通孔（１３）と、貫通孔（１３）に挿入された放熱部材（２０）と、絶縁基板（１０）の一方の面（１１）にて貫通孔（１３）に重なるように絶縁基板（１０）に搭載され固定された電子部品（３０）と、を備え、絶縁基板（１０）の一方の面（１１）側にて放熱部材（２０）と電子部品（３０）とが接合されることにより、電子部品（３０）にて発生する熱が放熱部材（２０）へ放熱されるようになっている電子装置において、
放熱部材（２０）の一部は、絶縁基板（１０）の他方の面（１２）にて貫通孔（１３）より突出し、貫通孔（１３）の外側にて当該他方の面（１２）に重なる形状とされた突出部（２３）を構成しており、この突出部（２３）は絶縁基板（１０）の他方の面（１２）側に、はんだ（５０）によりはんだ付け接合されて固定されており、貫通孔（１３）の内壁と放熱部材（２０）の外面との間は空隙とされており、
絶縁基板（１０）は、熱伝導性を有する金属で構成された筐体（１００）に組み付けられ、
放熱部材（２０）の突出部（２３）と筐体（１００）とが、熱伝導性を有する熱伝導部材（６０）を介して接触しており、電子部品（３０）の熱を、放熱部材（２０）を介して筐体（１００）へ放熱させるようにし、
電子部品（３０）には放熱部材（２０）の一端（２１）に対向するヒートシンク（３１）が設けられており、
絶縁基板（１０）の一方の面（１１）において貫通孔（１３）の周囲には端子用ランド（１４）が設けられており、
電子部品（３０）には端子用ランド（１４）上に位置する端子（３２）が設けられており、
ヒートシンク（３１）と放熱部材（２０）の一端（２１）との間、および端子用ランド（１４）と端子（３２）との間が、はんだ（４０）により一括してはんだ付けされることを特徴とする。
【００１４】
それによれば、請求項１〜４に記載の発明と同様に、はんだ等の接合材を貫通孔（１３）に充填しないようにし、貫通孔（１３）に挿入された放熱部材（２０）の実装位置を調整した上で、貫通孔（１３）の外部にて絶縁基板（１０）と放熱部材（２０）とを接合し固定できるので、製造工程における放熱部材（２０）の実装位置を精度良くコントロールするのに適した構成を実現することができる。
また、請求項６に記載の発明では、絶縁基板（１０）は、熱伝導性を有する金属で構成された筐体（１００）に組み付けられ、放熱部材（２０）の突出部（２３）と筐体（１００）とが、熱伝導性を有する熱伝導部材（６０）を介して接触しており、電子部品（３０）の熱を、放熱部材（２０）を介して筐体（１００）へ放熱させるようにしたから、請求項５に記載の発明と同様に、金属製の筐体（１００）をヒートシンクとして機能させ、電子部品（３０）→放熱部材（２０）→筐体（１００）と熱伝導性の高い放熱経路を確保することができる。そのため、たとえば樹脂基板で課題とされる絶縁基板（１０）の厚み方向への放熱性を大きく向上させることができる。
さらに、請求項６に記載の発明では、放熱部材（２０）の突出部（２３）は絶縁基板（１０）の他方の面（１２）側に、はんだ（５０）によりはんだ付け接合されて固定され、電子部品（３０）のヒートシンク（３１）と放熱部材（２０）の一端（２１）との間、および絶縁基板（１０）の端子用ランド（１４）と電子部品（３０）の端子（３２）との間が、はんだ（４０）により一括してはんだ付けされるので、電子部品（３０）を実装する際に、放熱部材（２０）を、はんだペースト印刷→マウント→リフローという一般的な工程で実装することができる。また、はんだペースト印刷により、はんだ（５０）を供給してやれば、はんだ（５０）厚さの正確なコントロールができ、上記した放熱部材（２０）の実装位置のコントロールを行いやすくなる。
【００１７】
また、請求項７に記載の発明では、請求項３、４、６のいずれか１つに記載の電子装置において、放熱部材（２０）の全表面に、放熱部材（２０）の本体を構成する材料よりもはんだ（５０）の濡れ性の悪いめっき処理が施されていることを特徴とする。
【００１８】
本発明の場合も、放熱部材（２０）の接合部（２４）の外側への意図しないはんだ（５０）の濡れ拡がりを抑えることができる。そのため、はんだ量（はんだ高さ）の制御が容易になり、結果的に、放熱部材（２０）の実装位置を精度良く制御できる。また、全面めっきなので部分めっきに比べ、手間やコストがかからない。
【００２５】
また、請求項８に記載の発明では、請求項１、２、３、６のいずれか１つに記載の電子装置において、放熱部材（２０）の突出部（２３）と絶縁基板（１０）の他方の面（１２）とのはんだ（５０）による接合は、放熱部材（２０）の全周ではなく局所的に行われていることを特徴とする。
【００２６】
放熱部材（２０）は、絶縁基板（１０）の一方の面（１１）側では、電子部品（３０）を介して絶縁基板（１０）に固定され、他方の面（１２）側では、接合材（５０）を介して絶縁基板（１０）に固定されることで、絶縁基板（１０）の両面（１１、１２）にて、放熱部材（２０）は絶縁基板（１０）に拘束されているため、基板厚さ方向の熱膨張係数差により、電子部品（３０）、絶縁基板（１０）、放熱部材（２０）の間の各接合部に応力が加わる。
【００２７】
それに対して、本発明のように、絶縁基板（１０）の他方の面（１２）側にて、放熱部材（２０）と絶縁基板（１０）とのはんだ接合部の面積を小さくすれば、当該はんだ接合の破壊により当該他方の面（１２）側の拘束が開放され、当該応力が劇的に低減し、絶縁基板（１０）の一方の面（１１）側における電子部品（１０）と絶縁基板（１０）との接合寿命、および、電子部品（１０）と放熱部材（２０）との接合寿命を長くすることができる。
【００２８】
なお、特許請求の範囲およびこの欄で記載した各手段の括弧内の符号は、後述する実施形態に記載の具体的手段との対応関係を示す一例である。
【図面の簡単な説明】
【００２９】
【図１】本発明の第１実施形態に係る電子装置の概略断面図である。
【図２】図１に示される電子装置の上面図である。
【図３】図１に示される電子装置の下面図である。
【図４】上記第1実施形態に係る電子装置の製造方法を示す工程図である。
【図５】図４に続く製造方法を示す工程図である。
【図６】上記図１に示される電子装置における放熱部材の突出部と絶縁基板の他方の面とのはんだによる接合部分を拡大して示す概略断面図である。
【図７】本発明の第２実施形態の第１の例としての電子装置の要部を示す概略断面図である。
【図８】上記第２実施形態の第２の例としての電子装置の要部を示す概略断面図である。
【図９】上記第２実施形態の第４の例としての電子装置の要部を示す概略断面図である。
【図１０】図９中の放熱部材の全体を示す概略断面図である。
【図１１】上記第２実施形態の第５の例としての電子装置の要部を示す概略断面図である。
【図１２】上記図１に示される電子装置における絶縁基板と放熱部材との熱膨張係数差による各接合部への熱応力の発生状態を示す図である。
【図１３】本発明の第３実施形態の第１の例としての電子装置の概略断面図である。
【図１４】図１３中の放熱部材の下面図である。
【図１５】上記第３実施形態の第２の例としての電子装置の概略断面図である。
【図１６】本発明の第４実施形態に係る電子装置の要部を示す概略平面図である。
【発明を実施するための形態】
【００３０】
以下、本発明の実施形態について図に基づいて説明する。なお、以下の各実施形態相互において、互いに同一もしくは均等である部分には、説明の簡略化を図るべく、図中、同一符号を付してある。
【００３１】
（第１実施形態）
図１は、本発明の第１実施形態に係る電子装置Ｓ１の概略断面構成を示す図であり、同電子装置Ｓ１を筐体１００に組み付けた状態を示している。また、図２は、図１に示される電子装置Ｓ１の上面図であり、図３は、図１に示される電子装置Ｓ１の下面図である。この電子装置Ｓ１は、たとえば自動車に搭載されるＥＣＵ等に適用されるものである。
【００３２】
本実施形態の電子装置Ｓ１は、大きくは、貫通孔１３を有する絶縁基板１０と、貫通孔１３に挿入された放熱部材２０と、絶縁基板１０に搭載され固定された電子部品３０と、を備えて構成されている。
【００３３】
絶縁基板１０は、たとえばエポキシ樹脂やガラスエポキシなどの電気絶縁性材料をベースとし、銅箔や銅めっきなどにより配線が構成されるプリント基板よりなる。この絶縁基板１０においては、両板面１１、１２が実装面とされており、貫通孔１３は、これら両板面１１、１２の一方の面１１から他方の面１２に貫通している。この貫通孔１３ドリル等の孔開け加工により形成されたものであり、ストレートな丸孔形状をなしている。
【００３４】
そして、放熱部材２０は、この貫通孔１３に挿入されており、放熱部材２０の一端２１側が絶縁基板１０の一方の面１１に露出し、放熱部材２０の他端２２側が絶縁基板１０の他方の面１２より突出している。この放熱部材２０の詳細については後述する。
【００３５】
そして、電子部品３０は、絶縁基板１０の一方の面１１にて貫通孔１３に重なるように絶縁基板１０に搭載され固定されている。この電子部品３０は、駆動時に発熱を伴うもので、たとえばパワー半導体素子に代表されるパッケージ部品あって、パッケージ底面にヒートシンク３１が露出するＨＳＯＰ、ＨＳＯＮ、ＨＱＦＰなどよりなる。
【００３６】
より具体的に電子部品３０は、モールド樹脂によりパッケージが構成されたもので、パッケージ内部にて、ヒートシンク３１上に搭載された図示しない半導体チップとリードフレーム等よりなる端子３２とがワイヤボンディング等により電気的に接続されたものである。そして、パッケージからヒートシンク３１および端子３２が露出しているものである。
【００３７】
そして、絶縁基板１０の一方の面１１側にて、電子部品３０のヒートシンク３１は、貫通孔１３と重なって対向しており、ヒートシンク３１とこれに対向する放熱部材２０の一端２１とが、部品用接合材４０を介して電気的および機械的に接合されている。
【００３８】
また、絶縁基板１０の一方の面１１側にて、貫通孔１３の周囲には銅やアルミなどよりなる端子用ランド１４が設けられており、この端子用ランド１４が当該一方の面１１を構成している。
【００３９】
そして、電子部品３０の端子３２は、この端子用ランド１４上に位置し、部品用接合材４０を介して電気的および機械的に接合されている。この部品用接合材４０は、はんだや銀ペーストなどの電気伝導性かつ伝熱性を有する接合材料よりなるものであるが、ここでは、はんだよりなる。
【００４０】
こうして、絶縁基板１０の一方の面１１側にて放熱部材２０と電子部品３０とが接合されることにより、電子部品３０にて発生する熱が放熱部材２０へ放熱されるようになっている。
【００４１】
本実施形態の放熱部材２０は、銅やアルミなど熱伝導率に良い金属よりなり、絶縁基板１０の厚さ、つまり、貫通孔１３の長さよりも長い柱状をなすものである。この放熱部材２０は、円柱でも角柱でもよいが、ここでは一端２１側が小径、他端２２側が大径となった段付き円柱形状、いわゆるリベット形状とされている。
【００４２】
これは、放熱部材２０の形状を、丸孔の貫通孔１３に合わせるとともに極力断面積を大きくして放熱性を確保するという点、および、軸周りの回転による放熱部材２０の位置ずれが無視できるという点を考慮して、当該円柱形状を採用したものである。
【００４３】
そして、放熱部材２０は、貫通孔１３の孔径よりも径の小さい小径部が貫通孔１３内に位置するように、絶縁基板１０の他方の面１２側から貫通孔１３に挿入されており、放熱部材２０の一端２１は、絶縁基板１０の一方の面１１にて、貫通孔１３より露出している。
【００４４】
ここでは、放熱部材２０の一端２１の狙いの位置は、絶縁基板１０の一方の面１１に対して実質同一平面としているが、電子部品３０のヒートシンク３１との接続性等を考慮して、当該狙いの位置を、絶縁基板１０の一方の面１１に対して、多少、突出または凹んだ位置としてもよい。
【００４５】
また、大径部である放熱部材１０の他端２２側の部位は、絶縁基板１０の他方の面１２にて貫通孔１３より突出した突出部２３として構成されている。ここでは、突出部２３は、貫通孔１３の孔径よりも径が大きい部位であるがゆえに、貫通孔１３の外側にて絶縁基板１０の他方の面１２に重なる形状、すなわち当該他方の面１２に対向する部位を有する形状となっている。
【００４６】
そして、この突出部１３は、絶縁基板１０の他方の面１２に対向する部位にて、放熱部材用接合材５０を介して絶縁基板１０に接合されて固定されている。ここでは、絶縁基板１０の他方の面１２にて、貫通孔１３の周囲且つ放熱部材２０の突出部２３に対向する部位には、銅などよりなる放熱部材用ランド１５が設けられ、この放熱部材用ランド１５が当該他方の面１２を構成している。
【００４７】
そして、突出部２３は、放熱部材用接合材５０を介して、当該放熱部材用ランド１５に機械的に接合されている。本実施形態では、この放熱部材用ランド１５は、放熱部材２０の全周に設けられており、放熱部材２０の突出部２３と絶縁基板１０の他方の面１２との放熱部材用接合材５０による接合は、放熱部材２０の全周で行われている。
【００４８】
ここで、放熱部材用接合材５０は、機械的に接合する接合材料であればよく、電気伝導性の有無、伝熱性の有無は問わない。たとえば、はんだや樹脂接着材などが挙げられるが、本実施形態では、典型的な例として、放熱部材用接合材５０は、鉛フリーはんだや共晶はんだ等のはんだ５０よりなる。
【００４９】
また、上述したように、貫通孔１３内に位置する放熱部材２０の小径部は、当該貫通孔１３の孔径よりも小さく、貫通孔１３の内壁と放熱部材２０の外面との間は空隙とされている。
【００５０】
そして、放熱部材２０の実装位置については、絶縁基板１０の一方の面１１側に露出する放熱部材２０の一端２１の高さが問題となるが、本実施形態では、絶縁基板１０の他方の面１２側における放熱部材用接合材５０の厚さを制御するだけで、容易に当該高さを狙いの位置に精度良くおさめることができる。
【００５１】
こうして、放熱部材２０は、貫通孔１３に対しては空隙で離れているが、絶縁基板１０の一方の面１１では、電子部品３０と接合され当該電子部品３０を介して絶縁基板１０に固定され、絶縁基板１０の他方の面１２では突出部２３にて絶縁基板１０に固定されている。つまり、放熱部材２０は、絶縁基板１０の両板面１１、１２側にて、絶縁基板１０に固定された状態で拘束されている。
【００５２】
また、本実施形態の電子装置Ｓ１は、熱伝導性を有する金属製の筐体１００に組み付けられて使用される。これについては、図１に示されるように、絶縁基板１０の他方の面１２を筐体１００に対向させた状態で、図示しない絶縁基板１０の適所にて、絶縁基板１０は筐体１００に支持されている。この支持は、たとえば、ねじ止め、嵌合、接着などにより行われる。
【００５３】
そして、このように、絶縁基板１０を筐体１００に組み付けたうえで、さらに、放熱部材２０の突出部２３と筐体１００とが、熱伝導性を有する熱伝導部材６０を介して接触している。
【００５４】
具体的には放熱部材２０の他端２２を、熱伝導部材６０を介して筺体１００に接触させる。それにより、電子部品３０の熱を、放熱部材２０を介して筐体１００へ放熱させるようになっている。
【００５５】
それによれば、筐体１００をヒートシンクとして機能させ、電子部品３０→放熱部材２０→筐体１００と熱伝導性の高い放熱経路を確保することができる。そのため、たとえば樹脂基板で課題とされる絶縁基板１０の厚み方向への放熱性を大きく向上させることができる。
【００５６】
ここで、熱伝導部材６０は、電気絶縁性かつ伝熱性を有する材料であり、接合力の有無は問わない。たとえば熱伝導部材６０としては、放熱ゲル、放熱シート、樹脂接着剤などが挙げられる。
【００５７】
次に、本実施形態に係る電子装置Ｓ１の製造方法について、図４、図５を参照して述べる。図４は、本製造方法を示す工程図であり、図５は、図４に続く製造方法を示す工程図である。
【００５８】
まず、図４（ａ）に示されるように、貫通孔１３が形成され、端子用ランド１４および放熱部材用ランド１５が形成された絶縁基板１０を用意し、この絶縁基板１０の他方の面１２において放熱部材用ランド１５に、はんだペーストの印刷等により、はんだ５０を設ける。
【００５９】
次に、図４（ｂ）に示されるように、放熱部材２０の一端２１側を、絶縁基板１０の他方の面１２側から貫通孔１３に挿入していくとともに、突出部２３と放熱部材用ランド１５とは、はんだ５０を介して接触するようにする。
【００６０】
このとき、放熱部材２０の実装位置を狙いの位置に定める。ここでは、放熱部材２０の一端２１と絶縁基板１０の一方の面１１とが同一平面となるように、当該実装位置を決める。
【００６１】
続いて、図４（ｃ）に示されるように、はんだ５０をリフローさせ、その後、固化させることにより、放熱部材２０の突出部２３を絶縁基板１０の他方の面１２に固定する。
【００６２】
次に、図４（ｄ）に示されるように、絶縁基板１０の一方の面１１側にて、放熱部材２０の一端２１および端子用ランド１４に、部品用接合材４０としてのはんだを、上記印刷等により設ける。
【００６３】
次に、図５（ａ）に示されるように、電子部品３０を、絶縁基板１０の一方の面１１にて貫通孔１３に重なるように絶縁基板１０に搭載する。このとき、電子部品３０のヒートシンク３１を、部品用接合材４０を介して放熱部材２０の一端２１に接触させ、また、電子部品３０の端子３２を、部品用接合材４０を介して端子用ランド１４に接触させるようにする。
【００６４】
続いて、図５（ｂ）に示されるように、部品用接合材４０としてのはんだをリフローさせ、その後、固化させることにより、ヒートシンク３１および端子３２にて、電子部品３０を絶縁基板１０の一方の面１１に固定する。こうして、本実施形態の電子装置Ｓ１ができあがる。
【００６５】
その後は、図５（ｃ）に示されるように、電子装置Ｓ１を筺体１００に組み付ける。具体的には、絶縁基板１０を筺体１００に支持させ、放熱部材２０の他端２２を、熱伝導部材６０を介して筺体１００に接触させる。それにより、図１に示される本実施形態の電子装置の実装構造が完成する。
【００６６】
ところで、本実施形態によれば、従来の放熱部材の実装位置の誤差要因であったはんだ等の接合材５０を貫通孔１３に充填しないようにし、貫通孔１３に挿入された放熱部材２０の実装位置を調整した上で、貫通孔１３の外部にて、接合材５０を介して、絶縁基板１０と放熱部材２０とを接合し固定できる。
【００６７】
そのため、当該接合材５０の厚さ、具体的にははんだ５０の厚さを調整するだけで、放熱部材２０の実装位置を精度良くコントロールできる。このように、本実施形態によれば、製造工程における放熱部材２０の実装位置を精度良くコントロールするのに適した構成を実現することができる。
【００６８】
そして、本実施形態によれば、放熱部材の実装位置を、狙いの位置に精度良く合わせることが容易にできるため、電子部品３０の実装における、はんだ印刷や部品マウントの工程内不良を低減し、実装出来栄えバラつきを抑えることができる。
【００６９】
また、本実施形態では、放熱部材２０の突出部２３と絶縁基板１０とを接合する接合材は、はんだ５０であるから、放熱部材２０を、はんだペースト印刷→マウント→リフローという一般的な工程で実装することができる。
【００７０】
また、はんだペースト印刷により、はんだ５０を供給してやれば、はんだ５０厚さを正確に制御できるので、上記した放熱部材２０の実装位置のコントロールを行いやすくなるというメリットも期待できる。
【００７１】
（第２実施形態）
図６は、上記図１に示される電子装置Ｓ１における放熱部材２０の突出部２３と絶縁基板１０の他方の面１２とのはんだ５０による接合部分を拡大して示す概略断面図であり、当該接合部分の１つの例を示すものである。
【００７２】
図６の例では、放熱部材２０の全表面に、はんだ５０の濡れ性を確保するためのめっき７０、たとえばＳｎめっき、はんだめっきなどよりなるめっき７０を施している。なお、このめっき７０は、部品用接合材４０としてのはんだを介した電子部品３０のヒートシンク３１との接合におけるはんだ濡れ性を確保する機能も有している。
【００７３】
一方、絶縁基板１０においては、貫通孔１３の内面に、Ｃｕなどよりなるめっき１３ａが施され、このめっき１３ａは、Ｃｕ等よりなる放熱部材用ランド１５と連続して形成されることで、これらめっき１３ａの表面および放熱部材用ランド１５の表面が連続している。また、絶縁基板１０の他方の面１２における放熱部材用ランド１５の外側の部位は、ソルダーレジスト１６により構成されている。
【００７４】
ここで、図６には、放熱部材２０のうちの絶縁基板１０とのはんだ５０による接合部２４、および、絶縁基板１０の他方の面１２のうちの放熱部材２０とのはんだ５０による接合部１５（すなわち放熱部材用ランド１５）が示されている。
【００７５】
そして、この図６の例の場合、図中の破線Ｋに示されるように、はんだ５０が、これら放熱部材２０の接合部２４および絶縁基板１０の接合部である放熱部材用ランド１５の範囲にとどまればよいが、上記Ｃｕめっき１３ａやめっき７０に沿って、当該範囲の外側まで、はんだ５０が濡れ拡がってしまう可能性がある。
【００７６】
そうすると、はんだ５０の厚さが狙いの値よりも小さくなってしまい、上記した放熱部材２０の実装位置のコントロールが困難になる可能性がある。そのため、このような各接合部１５、２４の外側への意図しないはんだ５０の濡れ拡がりを抑制することが、望ましい。
【００７７】
ここで、絶縁基板１０において貫通孔１３の内面を、めっき処理が施されずに絶縁基板１０を構成する絶縁材料（たとえばガラスエポキシ樹脂等の材料）が露出した面とすれば、貫通孔１３内面への濡れ拡がりは抑制しやすくなる。ただし、製造上、貫通孔１３にめっき１３ａを施さないようにすることは、マスキング等の問題があり、手間がかかってしまう。
【００７８】
そこで、本発明の第２実施形態では、このような放熱部材２０および絶縁基板１０における上記接合部２４、１５からのはんだ５０の濡れ拡がりを抑制するための種々の構成を提供することとする。
【００７９】
図７は、本実施形態の第１の例としての電子装置の要部を示す概略断面図である。この例では、放熱部材２０について、放熱部材２０の接合部２４は、Ｓｎめっき、はんだめっきなどのはんだ濡れ性に優れためっき７０を形成するめっき処理が施されたものとなっており、当該接合部２４の外周囲には当該めっき処理を施さないものとしている。
【００８０】
それにより、放熱部材２０において接合部２４は当該接合部２４の外周囲に比べて、はんだ５０の濡れ性が良いものとされている。
【００８１】
なお、この図７では示さないが、この図７の例においても、めっき７０は、放熱部材２０の一端２１に形成され、それにより、部品用接合材４０としてのはんだを介したヒートシンク３１との接合性確保を行うようにしている。
【００８２】
この図７に示されるような放熱部材２０の構成とすることにより、貫通孔１３内へのはんだ５０の濡れ拡がり等、放熱部材２０の接合部２４の外側への意図しないはんだ５０の濡れ拡がりを抑えることができる。そのため、はんだ量（高さ）の制御が容易になり、結果的に、放熱部材２０の実装位置を精度良く制御できる。
【００８３】
さらに、図７の例では、図６と同様に、絶縁基板１０において貫通孔１３の内面は、はんだ濡れ性を確保するためのＣｕめっき１３ａにより形成されているが、絶縁基板１０の他方の面１２の接合部である放熱部材用ランド１５の表面と、貫通孔１３の内面（つまりＣｕめっき１３ａの表面）とは分離された状態とされている。
【００８４】
ここでは、放熱部材用ランド１５の表面と、貫通孔１３の内面であるＣｕめっき１３ａの表面との間に、はんだ濡れ性の小さいソルダーレジスト１６を介在させることにより、当該両表面を分離している。こうすることにより、当該接合部１５から貫通孔１３の内面へのはんだ５０の濡れ拡がりを抑制するようにしている。
【００８５】
この図７に示されるような絶縁基板１０の構成とすることにより、絶縁基板１０において、はんだ５０による接合部１５の外側への意図しないはんだ５０の濡れ拡がりを抑えることができる。そのため、はんだ量（はんだ高さ）の制御が容易になり、結果的に、放熱部材２０の実装位置を精度良く制御できる。
【００８６】
また、図８は、本実施形態の第２の例としての電子装置の要部を示す概略断面図である。この図８の例においても、上記図７同様、絶縁基板１０の放熱部材用ランド１５の表面と、貫通孔１３の内面であるＣｕめっき１３ａとは分離された状態とされている。ここで、図７との相違点は、Ｃｕめっき１３ａと放熱部材用ランド１５とを分離して形成することで、当該分離状態を実現していることである。
【００８７】
また、本実施形態の第３の例としては、図示しないが、放熱部材２０の全表面に、放熱部材２０の本体を構成する材料よりもはんだ５０の濡れ性の悪いめっき処理が施されているものである。このような濡れ性の悪いめっき処理としては、たとえば放熱部材２０の本体がＣｕの場合、Ｃｕよりも濡れ性の悪いＮｉ／Ｐｄ／Ａｕめっき、Ｎｉめっきなどが挙げられる。
【００８８】
この第３の例の場合も、放熱部材２０の接合部２４の外側への意図しないはんだ５０の濡れ拡がりを抑えることができるため、はんだ量（はんだ高さ）の制御が容易になり、結果的に、放熱部材２０の実装位置を精度良く制御できる。また、全面めっきなので部分めっきに比べ、手間やコストがかからないという利点も期待できる。
【００８９】
また、図９は、本実施形態の第４の例としての電子装置の要部を示す概略断面図であり、図１０は、図９中の放熱部材２０の全体を示す概略断面図である。
【００９０】
この第４の例では、絶縁基板１０側の構成は、上記第１〜第３の例と同様であるが、放熱部材２０の表面において、放熱部材２０の接合部２４の外周囲には、当該接合部２４からのはんだ５０の濡れ拡がりを抑制するコーティング７１が施されているところが相違点である。
【００９１】
このコーティング７１としては、たとえば塗料、ソルダーレジスト、ポリイミドテープなどが採用できる。ここで、当該接合部２４については、めっき無しでもよいし、上記第１の例と同様のはんだ濡れ性を確保するめっき７０が施されていてもよい。
【００９２】
この第４の例の場合も、放熱部材２０の接合部２４の外側への意図しないはんだ５０の濡れ拡がりを抑えることができるため、はんだ量（はんだ高さ）の制御が容易になり、結果的に、放熱部材２０の実装位置を精度良く制御できる。
【００９３】
また、この第４の例では、図１０に示されるように、放熱部材２０における低熱抵抗化のため、電子部品３０のヒートシンク３１との接合面である放熱部材２０の一端２１、および、筐体１００との接合面である放熱部材２０の他端２２はコーティングせずに、放熱部材２０を構成する金属（たとえばＣｕ等）が露出していることが望ましい。
【００９４】
なお、これら図７〜図１０等に示される上記第１〜第４の各例においては、放熱部材２０側のみ当該各例の構成を採用し、絶縁基板１０側は上記図６に示される構成のままとしてもよい。また、これら上記第１〜第４の各例においては、絶縁基板１０側のみ当該各例の構成を採用し、放熱部材２０側は上記図６に示される構成のままとしてもよい。
【００９５】
このように放熱部材２０、絶縁基板１０のいずれか一方のみに、上記第１〜第４の各例の構成を採用した場合であっても、上記図６の構成に比べれば、上記各接合部１５、２４の外側への意図しないはんだ５０の濡れ拡がりを抑制することができ、放熱部材２０の実装位置を精度良く制御できることは明らかである。
【００９６】
また、図１１は、本実施形態の第５の例としての電子装置の要部を示す概略断面図である。この図１１の第５の例では、放熱部材２０の突出部２３のうちの絶縁基板１０の他方の面１２に対向する部位は、当該他方の面１２に直接密着している。ここでは、当該他方の面１２を構成するソルダーレジスト１６に密着している。
【００９７】
そして、はんだ５０は、突出部２３のうち絶縁基板１０の他方の面１２と直交方向に延びる外周端面にてフィレット形状に形成されることで、突出部２３と当該他方の面１２とが接合されている。
【００９８】
この第５の例によれば、放熱部材２０とこれに対向する絶縁基板１０の他方の面１２との間では、はんだ５０を介することなく密着した状態となるから、意図しないはんだ５０の濡れ拡がりを抑えることできる。そのため、はんだ量（はんだ高さ）の制御が容易になり、結果的に、放熱部材２０の実装位置を精度良く制御できる。
【００９９】
（第３実施形態）
図１２は、上記図１に示される構造において、絶縁基板１０と放熱部材２０との熱膨張係数差による各接合部への熱応力の発生状態を示す図である。図１２では、白矢印２００、３００にて、放熱部材２０の熱膨張および熱収縮の度合２００、絶縁基板１０の熱膨張および熱収縮の度合３００を示している。
【０１００】
絶縁基板１０として、たとえば一般的なガラスエポキシ基板を使用し、放熱部材２０として熱伝導率の高い銅を使用するとき、基板１０の厚さ方向で当該２部材１０、２０間に熱膨張係数の乖離が存在する。
【０１０１】
たとえば、当該厚さ方向の熱膨張係数は、ガラスエポキシ基板よりなる絶縁基板２０が５０〜６０ｐｐｍ／Ｋ、銅よりなる放熱部材２０が１７ｐｐｍ／Ｋであり、絶縁基板１０の熱膨張および熱収縮の度合３００の方が、放熱部材２０の熱膨張および熱収縮の度合２００よりも大きい。
【０１０２】
ここで、絶縁基板１０の他方の面１２側にて放熱部材２０と絶縁基板１０とは、はんだ５０で接合されている（これを以下、接合部Ｃという）。一方、電子部品２０は、絶縁基板１０の一方の面１１側にて、端子３２−端子用ランド１４間（これを以下、接合部Ａという）と、ヒートシンク３１−放熱部材２０間（これを以下、接合部Ｂという）とで接合され、絶縁基板１０と放熱部材２０に跨って実装されている。
【０１０３】
このように放熱部材２０は絶縁基板１０の両面１１、１２側で固定され拘束されているため、冷熱サイクル環境下で絶縁基板１０と放熱部材２０との基板厚さ方向の熱膨張係数差により、これら各接合部Ａ、Ｂ、Ｃにおいて、引張または圧縮の熱応力が発生することが、懸念される。
【０１０４】
具体的には、高温時（冷温時）には、上記接合部Ａ、Ｃでは圧縮（引張）応力が加わり、上記接合部Ｂでは引張（圧縮）応力が加わる。そうすると、これら各接合部Ａ〜Ｃの破壊等が懸念される。
【０１０５】
そこで、本発明の第３実施形態では、このような熱応力による各接合部Ａ〜Ｃへのダメージ低減を目的として、さらに種々の工夫を施した構成を提供する。
【０１０６】
図１３は、本第３実施形態の第１の例としての電子装置Ｓ２の概略断面構成を示す図であり、図１４は、図１３中の放熱部材２０の下面図である。これら図１３、図１４に示されるように、放熱部材２０の突出部２３の一部は、当該放熱部材２０側から絶縁基板１０の他方の面１２に延びる細長の薄肉板状をなす薄肉板部２３ａとして構成されている。
【０１０７】
ここでは、薄肉板部２３ａはガルウィング形状をなしている。また、ここでは、薄肉板部２３ａは、図１４に示されるように、放熱部材２０の軸に対して互いに反対方向に延びる２本のものであるが、放熱部材２０の軸に対して３本以上の放射状に設けられたものであってもよい。
【０１０８】
そして、放熱部材２０の突出部２３は、この薄肉板部２３ａの先端部側にて、はんだ５０により絶縁基板１０の他方の面１２に接合されている。このような構成においては、上記したようなはんだ５０に加わる熱応力が、薄肉板部２３ａにより緩和される、具体的には薄肉板部２３ａの変形により吸収されるようになっている。
【０１０９】
また、図１５は、本第３実施形態の第２の例としての電子装置Ｓ２の概略断面構成を示す図である。この場合も、放熱部材２０の突出部２３の一部は、当該放熱部材２０側から絶縁基板１０の他方の面１２に延びる細長の薄肉板状をなす薄肉板部２３ａとして構成されているが、ここでは、薄肉板部２３ａはＪ字形状をなすものとしている。
【０１１０】
これら第１の例、第２の例によれば、絶縁基板１０の厚さ方向における絶縁基板１０と放熱部材２０との熱膨張係数差から生じる熱応力を、薄肉板部２３ａにて緩和できるため、上記各接合部Ａ〜Ｃへの当該熱応力を低減し、接合寿命を向上させることができる。また、上記両例において、ガルウイング型では、はんだ付けの外観検査が行いやすく、Ｊ字型ではガルウイング型に比べ、実装面積が小さくて済むという効果が期待できる。
【０１１１】
なお、本第３実施形態は、第１実施形態に対して、放熱部材２０の突出部２３に薄肉板部２３ａを設けるものであるから、上記第２実施形態の各例とも組み合わせが可能であることはもちろんである。
【０１１２】
（第４実施形態）
本発明の第４実施形態では、上記第３実施形態に示した上記熱応力による上記各接合部Ａ〜Ｃへのダメージ低減を目的とした、別構成を提供する。図１６は、本第４実施形態に係る電子装置の要部を示す概略平面図である。
【０１１３】
上記第１実施形態では、放熱部材２０の突出部２３と絶縁基板１０の他方の面１２とのはんだ５０による接合は、放熱部材２０の全周で行われていたが、本実施形態では、図１６に示されるように、放熱部材２０の全周ではなく局所的、すなわち不連続的に行うようにしている。
【０１１４】
上述したが、放熱部材２０は、絶縁基板１０の一方の面１１側では、電子部品３０を介して絶縁基板１０に固定され、他方の面１２側では、はんだ５０を介して絶縁基板１０に固定されることで、絶縁基板１０の両面１１、１２にて、放熱部材２０は絶縁基板１０に拘束されている。そのため、基板厚さ方向の熱膨張係数差により、上記各接合部Ａ〜Ｃ（に応力が加わる（上記図１２参照）。
【０１１５】
ここで、設計上、上記接合部Ａは電気的に、上記接合部Ｂは熱的に、それぞれ必ず接続されていなければならないため、これら接合部Ａ、Ｂには製品要求に応じた接合寿命が求められる。
【０１１６】
一方、上記接合部Ｃは、製造工程における機械的な接合および固定、さらには装置の実装性や出来栄えに寄与することが主目的なので、電気的および熱的に接続されている必要はなく、接合部Ａ、Ｂに比して接合寿命は求められない。
【０１１７】
よって、接合部の信頼性設計は、接合部Ｃの寿命を短くし、接合部Ａ、Ｂに比べて接合部Ｃが敢えて早期に壊れるような信頼性設計を行うという方法が考えられる。そこで、本実施形態では、上記局所的な接合形態を採用することで、絶縁基板１０の他方の面１２側にて、放熱部材２０と絶縁基板１０とのはんだ接合部の面積を小さくする。
【０１１８】
そうすることで、接合部Ｃにおけるはんだ接合の破壊により当該他方の面１２側の拘束が開放され、接合部Ａ、Ｂに加わる応力が劇的に低減し、これら接合部Ａ、Ｂの接合寿命を長くできる。
【０１１９】
なお、本第４実施形態は、上記第１実施形態に対して、はんだ５０を局所的に設けるものであるから、上記第２実施形態の各例に対しても、組み合わせが可能であることはもちろんである。
【０１２０】
（他の実施形態）
なお、絶縁基板１０は、電気絶縁性の樹脂により本体を区画構成するプリント基板であったが、可能ならばセラミック基板などであってもよい。
【０１２１】
また、放熱部材２０と絶縁基板１０の他方の面１２とを接合する接合材５０としては、はんだ５０以外にも、エポキシ樹脂やシリコン樹脂などよりなる電気絶縁性の樹脂接着剤などでもよい。
【０１２２】
また、貫通孔１３は、通常の孔開け加工により形成されるものであるが、貫通孔１３の内面が放熱部材２０と離れていればよいものであり、上記した丸孔形状以外にも、角孔形状などであってもよい。
【０１２３】
また、上記した各実施形態同士の組み合わせ以外にも、上記各実施形態は、可能な範囲で適宜組み合わせてもよい。
【符号の説明】
【０１２４】
１０    絶縁基板
１１    絶縁基板の一方の面
１２    絶縁基板の他方の面
１３    貫通孔
１５    絶縁基板の他方の面）のうちの放熱部材とのはんだによる接合部
２０    放熱部材
２３    突出部
２４    放熱部材のうちの絶縁基板とのはんだによる接合部
３０    電子部品
５０    接合材としてのはんだ
７１    コーティング
１００  筐体
【図１】
0005747805.tif 000002
【図２】
0005747805.tif 000003
【図３】
0005747805.tif 000004
【図４】
0005747805.tif 000005
【図５】
0005747805.tif 000006
【図６】
0005747805.tif 000007
【図７】
0005747805.tif 000008
【図８】
0005747805.tif 000009
【図９】
0005747805.tif 000010
【図１０】
0005747805.tif 000011
【図１１】
0005747805.tif 000012
【図１２】
0005747805.tif 000013
【図１３】
0005747805.tif 000014
【図１４】
0005747805.tif 000015
【図１５】
0005747805.tif 000016
【図１６】
0005747805.tif 000017